(57)【要約】【課題】リード線の配線距離を短くすることができ、作業時間を短縮できて材料費が低減でき、また、遮断器ケース内でリード線が配線ダクトからはみ出るのを確実に防止することができる回路遮断器を提供する。【解決手段】回路遮断器１の操作面を前面としたときに配線ダクト８を掛合片１５の前部を通過するように配設し、この配線ダクト８にリード線６を通して電磁石装置４とアンプケース１７に収納されたプリント基板７との間の配線を行う。配線ダクト８は開口部を遮断器ケースのカバー内面と対向するように配設し、開口部とカバー内面との距離をリード線６の直径より小さくする。【選択図】図１
2005243373.tif 000002
【特許請求の範囲】
【請求項１】
電磁石装置や零相変流器等のリード線が引き出される部品を遮断器ケース内に収納し、前記リード線が前記遮断器ケース内の離れた位置に収納されたプリント基板に配線され、前記部品と前記プリント基板との間に前記遮断器ケースの幅方向に延びる掛合片が介在してなる回路遮断器において、前記リード線を配線ダクトに収納し、前記回路遮断器の操作面を前面としたときに前記配線ダクトを前記掛合片の前部を通過するように配設したことを特徴とする回路遮断器。
【請求項２】
前記配線ダクトは前記リード線を納線するための開口部を前記遮断器ケースの内面と対向するように配設し、前記開口部と前記遮断器ケースの内面との距離を前記リード線の直径より小さくしたことを特徴とする請求項１に記載の回路遮断器。
【請求項３】
前記配線ダクトの開口部の周縁に前記リード線のはみ出し防止リブを形成したことを特徴とする請求項１又は請求項２に記載の回路遮断器。
【請求項４】
前記電磁石装置から引き出されるリード線を収納する配線ダクトの長手方向の各端部を前記電磁石装置と前記プリント基板を収納するアンプケースに固定するとともに、前記配線ダクトを前記遮断器ケースの前板部内面に当接するようにしたことを特徴とする請求項１乃至請求項３の何れかに記載の回路遮断器。
【請求項５】
前記プリント基板を収納するアンプケースと前記配線ダクトとを一体に形成したことを特徴とする請求項１乃至請求項４の何れかに記載の回路遮断器。
【発明の詳細な説明】
【技術分野】
【０００１】
本発明は、電磁石装置や零相変流器等のリード線が遮断器ケース内に引き回される回路遮断器に関する。
【背景技術】
【０００２】
図６〜図１０に示すように中性線欠相検出機能や漏電検出機能を有する回路遮断器２１は、漏洩電流を検出するための零相変流器２２や、異常時に開閉機構部２３を動作させるための電磁石装置２４等の部品を必要とするが、これらの部品はリード線２５，２６が引き出され、ベース３１とカバー３２とでなる遮断器ケース２９内の別の位置に配設されたプリント基板２７に配線され、このプリント基板２７も回路を駆動するための電源を確保するためにリード線３８が引き出され主電路に接続されている。そして、回路遮断器２１は操作ハンドル３０を有する操作面を前面とし、遮断器ケース２９の長手方向端部にある電源側端子３３と負荷側端子３４を上下としたときに、一般的に電磁石装置２４は上部側に配置され、零相変流器２２は下部側に配置され、これらの部品を遮るように板状の掛合片３５が配置されている。この掛合片３５は電磁石装置２４や過電流引き外し素子３６によって駆動され、開閉機構部２３を開動作させるものである。また、プリント基板２７は掛合片３５の上下どちらにでも配置することができ、このプリント基板２７はアンプケース３７に収納されている。
【０００３】
ここで図６及び図７に示すようにプリント基板２７が掛合片３５の下部側に配置される場合は、零相変流器２２とプリント基板２７は隣接して配置されるので配線は容易に行うことができ、プリント基板２７の電源用リード線３８も負荷側に接続するので容易に行うことができる。しかし、電磁石装置２４とプリント基板２７の間には掛合片３５が介在するので容易には配線できず、これを配線するにはリード線２６を掛合片３５の左側と遮断器ケース内面の隙間を通し、遮断器ケース２９の左内面に形成した納線部３９にリード線２６を嵌めて行っている。尚、遮断器ケース２９の右内面にも納線部３９は形成され、電磁石装置２４が右側に配置される場合は掛合片３５の右側と遮断器ケース内面の隙間を通して配線することも可能である（例えば、特許文献１参照。）。
【０００４】
また、図８〜図１０に示すようにプリント基板２７が掛合片３５の上部側に配置される場合は、電磁石装置２４とプリント基板２７は隣接して配置されるので配線２６は容易に行うことができる。しかし、零相変流器２２とプリント基板２７間の配線２５及びプリント基板２７の電源用リード線（図示せず）の配線を行うには掛合片３５が介在するので容易にはできず、これらを配線するには遮断器ケース２９のベース３１の背板部３１ａに形成した通線孔３１ｂからリード線２５をケース背面に一旦引き出し、ケース背面に形成した納線溝３１ｃを通し、別の通線孔３１ｂから遮断器ケース２９内に引き込んでプリント基板２７に配線していた。
【０００５】
【特許文献１】特開２０００−２７６９９５号公報
【発明の開示】
【発明が解決しようとする課題】
【０００６】
前者の回路遮断器は掛合片の横にリード線を通すので掛合片の幅方向の設計が制約されるが、それでもリード線を配線するためのスペースは十分にはとれないため、納線部は断面コ字形溝状に形成される。しかし、この納線部の形状は成形上の理由で内面がテーパー状になるため、リード線を納線部の奥まで押し込まないと出てきてしまう。このとき、指ではリード線を十分に押し込めないので先端の細い棒状の治具を使ってリード線を納線部に押し込むが、リード線の被覆を破ることがあった。また、回路遮断器は、遮断器ケースが背面側のベースと前面側のカバーに分割して形成されるが、リード線の押し込みが不十分で浮いてしまうと、ベースとカバーを組み合わせる際にリード線を挟んで断線させる虞があり、また、ベースとカバーを組み合わせた後でも納線部からリード線が外れると開閉機構部に干渉し、開閉動作を妨げる虞があった。
【０００７】
後者の回路遮断器は通線孔にリード線を挿通させる作業に時間がかかり、ケース背面のリード線が納線溝から出ないようにテープ等で塞ぐ作業をしなければならず、更に修理改善が必要となった場合に分解作業に手間がかかり、また、リード線の配線距離が長いので材料費がかかるという欠点があった。
【課題を解決するための手段】
【０００８】
本発明は、請求項１に記載の発明によれば、電磁石装置や零相変流器等のリード線が引き出される部品を遮断器ケース内に収納し、リード線が遮断器ケース内の離れた位置に収納されたプリント基板に配線され、リード線が引き出される部品とプリント基板との間に遮断器ケースの幅方向に延びる掛合片が介在してなる回路遮断器において、リード線を配線ダクトに収納し、回路遮断器の操作面を前面としたときに配線ダクトを掛合片の前部を通過するように配設したことを特徴とする。
【０００９】
請求項２に記載の発明によれば、請求項１に記載の回路遮断器において、配線ダクトはリード線を納線するための開口部を遮断器ケースの内面と対向するように配設し、開口部と遮断器ケースの内面との距離をリード線の直径より小さくしたことを特徴とする。
【００１０】
請求項３に記載の発明によれば、請求項１又は請求項２に記載の回路遮断器において、配線ダクトの開口部の周縁にリード線のはみ出し防止リブを形成したことを特徴とする。
【００１１】
請求項４に記載の発明によれば、請求項１乃至請求項３の何れかに記載の回路遮断器において、電磁石装置から引き出されるリード線を収納する配線ダクトの長手方向の各端部を電磁石装置とプリント基板を収納するアンプケースに固定するとともに、配線ダクトを遮断器ケースの前板部内面に当接するようにしたことを特徴とする。
【００１２】
請求項５に記載の発明によれば、請求項１乃至請求項４の何れかに記載の回路遮断器において、プリント基板を収納するアンプケースと配線ダクトとを一体に形成したことを特徴とする。
【発明の効果】
【００１３】
請求項１に記載の発明によれば、電磁石装置や零相変流器等のリード線が引き出される部品を遮断器ケース内に収納し、リード線が遮断器ケース内の離れた位置に収納されたプリント基板に配線され、リード線が引き出される部品とプリント基板との間に遮断器ケースの幅方向に延びる掛合片が介在してなる回路遮断器において、リード線を配線ダクトに収納し、回路遮断器の操作面を前面としたときに配線ダクトを掛合片の前部を通過するように配設したことにより、リード線の配線距離を短くすることができ、また、作業時間を短縮できて材料費が低減できるという効果がある。
【００１４】
請求項２に記載の発明によれば、請求項１に記載の回路遮断器において、配線ダクトはリード線を納線するための開口部を遮断器ケースの内面と対向するように配設し、開口部と遮断器ケースの内面との距離をリード線の直径より小さくしたことにより、製品完成後に遮断器ケース内でリード線が配線ダクトからはみ出るのを確実に防止することができ、リード線が開閉機構部に干渉して開閉動作を妨げることがなくなるという効果がある。
【００１５】
請求項３に記載の発明によれば、請求項１又は請求項２に記載の回路遮断器において、配線ダクトの開口部の周縁にリード線のはみ出し防止リブを形成したことにより、ベースとカバーの組み合わせ時にリード線を挟むことによる損傷を防止することができるという効果がある。
【００１６】
請求項４に記載の発明によれば、請求項１乃至請求項３の何れかに記載の回路遮断器において、電磁石装置から引き出されるリード線を収納する配線ダクトの長手方向の各端部を電磁石装置とプリント基板を収納するアンプケースに固定するとともに、配線ダクトを遮断器ケースの前板部内面に当接するようにしたことにより、電磁石装置のがたつきを少なくすることができ、電磁石装置の引き外し性能を安定させることができるという効果がある。
【００１７】
請求項５に記載の発明によれば、請求項１乃至請求項４の何れかに記載の回路遮断器において、プリント基板を収納するアンプケースと配線ダクトとを一体に形成したことにより、配線ダクトの固定作業をなくすことができ、また、在庫管理も簡単になるという効果がある。
【発明を実施するための最良の形態】
【００１８】
回路遮断器の操作面を前面としたときに配線ダクトを掛合片の前部を通過するように配設し、この配線ダクトにリード線を通して電磁石装置とアンプケースに収納されたプリント基板間の配線を行う。配線ダクトは開口部を遮断器ケースのカバー内面と対向するように配設し、開口部とカバー内面との距離をリード線の直径より小さくする。
【実施例１】
【００１９】
本発明に係る回路遮断器の実施例１を図１〜図３の添付図面に基づいて説明する。
【００２０】
中性線欠相検出機能や漏電検出機能を有する回路遮断器１は、漏洩電流を検出するための零相変流器２や、異常時に開閉機構部３を動作させるための電磁石装置４等を備えている。これらの部品からはリード線５，６が引き出され、プリント基板７に配線される。また、プリント基板７も回路を駆動するための電源を確保するためにリード線１８が引き出され主電路に接続される。
【００２１】
回路遮断器１の遮断器ケース９は操作ハンドル１０が突出する操作面を前面としたとき、背面側と前面側とでベース１１とカバー１２に分割して形成され、この遮断器ケース９の長手方向端部に設けられる電源側端子１３と負荷側端子１４を上下としたときに、電磁石装置４が上部側に配設され、零相変流器２が下部側に配設され、これらの部品間には遮断器ケース９の幅方向に延びる板状の掛合片１５が配設されている。この掛合片１５は電磁石装置４や過電流引き外し素子１６の動作によって駆動され、開閉機構部３を開動作させるために電磁石装置４に隣接して設けられている。プリント基板７はアンプケース１７に収納されて零相変流器２の前部に配設されている。このため、零相変流器２のリード線５はプリント基板７に直接接続することができる。また、電磁石装置４のリード線６は掛合片１５の前部を通過するように配設された配線ダクト８を通して行う。
【００２２】
配線ダクト８は収納部８ａが長溝状に形成され、この収納部８ａの上面に形成された開口部８ｂからリード線６が納線されている。開口部８ｂの周縁にははみ出し防止リブ８ｃが内側方向に複数箇所突設され、リード線６が収納部８ａからはみ出ないようになっている。また、配線ダクト８は収納部８ａの長手方向の各端部に係合部８ｄが形成され、この係合部８ｄを電磁石装置４とアンプケース１７に夫々係合させて固定されている。
【００２３】
このように形成された配線ダクト８は開口部８ｂを遮断器ケース９のカバー１２の前板部１２ａの内面と対向するように配置され、開口部８ｂと遮断器ケース９の前板部１２ａの内面との距離をリード線６の直径より小さくしている。こうすることにより、製品完成後に遮断器ケース９内でリード線６が配線ダクト８からはみ出るのを確実に防止することができる。
【００２４】
尚、電磁石装置４及びアンプケース１７はベース１１に嵌合固定されているが配線ダクト８を介して互いに固定されることによって電磁石装置４のがたつきが少なくなるので引き外し性能が安定する。ここで配線ダクト８を遮断器ケース９の前板部１２ａの内面に当接させるようにすると更に電磁石装置４のがたつきをなくすことができる。
【００２５】
尚、本実施例において配線ダクトの両端を電磁石装置とアンプケースに係合させて固定したが別の部材に固定しても良く、また、配線ダクトとアンプケースを一体に形成する等配線ダクトの形状について適宜に変更して実施することも可能である。
【実施例２】
【００２６】
本発明に係る回路遮断器の実施例２を図４及び図５の添付図面に基づいて説明する。尚、実施例１と同一部分には同一符号を付して説明を省略する。
【００２７】
実施例２ではプリント基板７が掛合片１５より上部側に配設されたところが、実施例１と異なっている。このため、電磁石装置４のリード線６はプリント基板７に直接接続され、零相変流器２のリード線５及びプリント基板７の電源用リード線１８は配線ダクト８を通して配線される。配線ダクト８はアンプケース１７と一体に形成され、電磁石装置４とハンドル１０の間に延びて、掛合片１５の前部を通過するように配設されている。
【図面の簡単な説明】
【００２８】
【図１】本発明の実施例１に係る回路遮断器のカバーを外した状態の正面図である。
【図２】本発明の実施例１に係る回路遮断器の内部構造を示す縦断面図である。
【図３】本発明の実施例１に係る回路遮断器の配線ダクトを示し、（ａ）は正面図、（ｂ）は右側面図である。
【図４】本発明の実施例２に係る回路遮断器を示し、左半分は正面図、右半分は内部構造である。
【図５】本発明の実施例２に係る回路遮断器の内部構造を示す縦断面図である。
【図６】プリント基板が掛合片より負荷側にある従来の回路遮断器のカバーを外した状態の正面図である。
【図７】図６の回路遮断器の内部構造を示す縦断面図である。
【図８】プリント基板が掛合片より電源側にある従来の回路遮断器を示し、左半分は正面図、右半分は内部構造である。
【図９】図８の回路遮断器の内部構造を示す縦断面図である。
【図１０】図８の回路遮断器の背面図である。
【符号の説明】
【００２９】
１    回路遮断器
２    零相変流器
４    電磁石装置
５    リード線
６    リード線
７    プリント基板
８    配線ダクト
８ａ    収納部
８ｂ    開口部
８ｃ    はみ出し防止リブ
８ｄ    係合部
１５    掛合片
１７    アンプケース
１８    リード線
【図１】
2005243373.tif 000003
【図２】
2005243373.tif 000004
【図３】
2005243373.tif 000005
【図４】
2005243373.tif 000006
【図５】
2005243373.tif 000007
【図６】
2005243373.tif 000008
【図７】
2005243373.tif 000009
【図８】
2005243373.tif 000010
【図９】
2005243373.tif 000011
【図１０】
2005243373.tif 000012